(57)【特許請求の範囲】
【請求項１】
ケーブルコアの外側に、順次、内部走水防止被覆層及び金属遮蔽層を備える走水防止ケーブルにおいて、前記金属遮蔽層が、多数本の導線を巻き付けて成るワイヤーシールド層で形成され、前記内部走水防止被覆層が、クッション性テープの片面に吸水層を設けて成る走水防止テープを、前記吸水層を前記金属遮蔽層側に向けて縦添えもしくは巻回して成るもので形成され、かつ、前記ワイヤーシールド層の多数本の導線は前記内部走水防止被覆層の走水防止テープに食い込んでいることを特徴とする走水防止ケーブル。
【請求項２】
ケーブルコアの外側に、順次、内部走水防止被覆層、金属遮蔽層及び外部走水防止被覆層を備える走水防止ケーブルにおいて、前記金属遮蔽層が、多数本の導線を巻き付けてなるワイヤーシールド層で形成され、前記内、外部走水防止被覆層が、クッション性テープの片面に吸水層を設けて成る走水防止テープを、前記吸水層を前記金属遮蔽層側に向けて縦添えもしくは巻回して成るものでそれぞれ形成され、かつ、前記ワイヤーシールド層の多数本の導線は前記内、外部走水防止被覆層の走水防止テープに食い込んでいることを特徴とする走水防止ケーブル。
【発明の詳細な説明】
【０００１】
【産業上の利用分野】
本発明は、ケーブルコアの外側に金属遮蔽層を有する走水防止ケーブル、特に、ケーブルコアの外側にワイヤーシールド層を有する走水防止ケーブルに関する。
【０００２】
【従来の技術】
一般に、架橋ポリエチレン絶縁ポリ塩化ビニルシースケーブル（以下「ＣＶケーブル」という）においては、通常、ケーブルコアの外側に、銅テープのラップ巻きにより構成される金属遮蔽層が設けられている。
【０００３】
ところで、かかる銅テープの遮蔽層を有するＣＶケーブルにおいては、ＣＶケーブルの絶縁体の厚さが厚くなると、ヒートサイクルによって生じる絶縁体の膨脹・収縮により、ケーブルコアと銅テープの遮蔽層間にギャップが発生し、ひいてはケーブルの熱伸縮による繰り返し曲げによってオフセット部及びクリート把持部において銅テープが切れる恐れがあった。
【０００４】
このため、６６ｋＶ〜１５４ｋＶ級のＣＶケーブルにおいては、前記の銅テープのラップ巻きに代えて、ケーブルコアの外周に、多数本の軟銅線をスパイラル状に横巻きする、いわゆるワイヤーシールド層を設けることが行われている。
【０００５】
【発明が解決しようとする課題】
しかしながら、かかるワイヤーシールド層を有するＣＶケーブルにおいては、ワイヤーシールド層が、断面円形の軟銅線の横巻きにより形成されているところから、隣接する軟銅線間に間隙が形成されるという難点があった。このため、ＣＶケーブルが損傷を受けた場合においては、当該損傷部からケーブル内に水が浸入し、軟銅線間の間隙を走水するという難点があった。特に、ワイヤーシールド層を構成する軟銅線の素線径が太くなった場合においては、軟銅線間の間隙が大きくなるところから、その傾向が顕著であった。
【０００６】
このため、ワイヤーシールド層を構成する軟銅線の間隙に介在物を挿入することや水密コンパウンドを充填したり、あるいはワイヤーシールド層の外側に吸水性の不織布を巻回することなどが行われているが、かかる構成の走水防止ケーブルにおいては、走水防止特性が不十分であるという難点があった。
【０００７】
本発明はこれらの問題点を解決するためになされたもので、ケーブルシースの損傷部から水分が浸入しても、水分の浸入区域の拡大を最小限に抑え得る走水防止ケーブルを提供することを目的としている。
【０００８】
【課題を解決するための手段】
本発明の走水防止ケーブルは、ケーブルコアの外側に、順次、内部走水防止被覆層及び金属遮蔽層を備える走水防止ケーブルにおいて前記金属遮蔽層が、多数本の導線を巻き付けて成るワイヤーシールド層で形成され、前記内部走水防止被覆層が、クッション性テープの片面に吸水層を設けて成る走水防止テープを、前記吸水層を前記金属遮蔽層側に向けて縦添えもしくは巻回して成るもので形成され、かつ、前記ワイヤーシールド層の多数本の導線は前記内部走水防止被覆層の走水防止テープに食い込んでいることを特徴としている。
【０００９】
【作用】
本発明の走水防止ケーブルにおいては、走水防止被覆層を構成する走水防止テープがクッション性テープと、この片面に設けられた吸水層とで構成されており、吸水層側より、ワイヤーシールド層を構成する導線が横巻きされているので、この導線の横巻時の押圧力により、導線が走水防止テープのクッション性テープに食い込むと共にその導線の回りがクッション性テープ及び吸水層の一部によって包まれる。これにより、隣接する導線間の間隙がクッション性テープ及び吸水層の一部によって充填された状態を呈することになる。そして、ＣＶケーブルが損傷を受けた場合においては、当該損傷部から浸入する水分によって吸水層が膨潤してその体積を増大するところから、ワイヤーシールド層を構成する導線の間隙が完全に充填された状態を呈する。よって、本発明にかかる走水防止ケーブルにおいては、ケーブルシースの損傷部から水分が浸入しても、水分の浸入区域の拡大を最小限に抑えることが可能となる。
【００１０】
【実施例】
以下、本発明の一実施例を図面に基づいて説明する。図１は本発明に係る走水防止ケーブルの一部を示す断面図、図２は本発明において使用する走水防止テープの縦断面図、図３は本発明の他の実施例に係る走水防止ケーブルの横断面図である。
【００１１】
図１において、符号１はケーブルコアを示しており、このケーブルコア１は、ケーブル導体１ａと、このケーブル導体１ａの外周に順次設けらた、内部半導電層１ｂ、架橋ポリエチレン絶縁体１ｃ及び外部半導電層１ｄとで構成されている。
【００１２】
符号２は、外部半導電層１ｄの外周に設けられた内部走水防止被覆層を示しており、この走水防止被覆層２は、図２に示す走水防止テープ３を巻回もしくは縦添えしたもので形成されている。ここで、走水防止テープ３は、クッション性テープ３ａと、この片面に設けられた吸水層３ｂとで構成されており、クッション性テープ３ａは、例えば半導電性の織布等で構成される基布３ａａの片面に半導電性の未加硫ゴム３ａｂを被着したもので形成されている。また、吸水層３ｂは、クッション性テープ３ａの片面に吸水性ポリマーを塗布したもの等によって構成され、吸水性ポリマーとしては、例えば水膨潤性ポリマーと、ベースとなる樹脂及びこれに必要に応じて添加される導電性の混和物等が用いられている。ここで、水膨潤性ポリマーとしては、カルボキシメチルセルロース、ポリアクリルアミド、ポリビニルアルコール等を用いることができる。また、導電性の混和物としては、ケッチェンブラックやグラファイト等を用いることができる。
【００１３】
なお、走水防止テープ３は、後述する吸水層３ｂを金属遮蔽層４側に向けて巻回もしくは縦添えされており、金属遮蔽層４の座床層としての役割も果たしている。
【００１４】
符号４は、内部走水防止被覆層２の外周に設けられた金属遮蔽層を示しており、この金属遮蔽層は、例えば１．２mm程度の軟銅線から成る導線４ａを多数本横巻きしたものもしくはＳＺ巻きしたもので形成されている。なお、導線４ａをＳＺ巻きした場合においては、ケーブルのひねり曲げに対する特性が横巻ワイヤーシールドに比べて良好であり、すなわち、ケーブルのひねり曲げに対して導線４ａ間の移動が小さいところから、導線４ａと走水防止テープ３間に隙間が生じにくくなり、ひいては長手方向の水密特性を良好にできる利点がある。
【００１５】
図３は、図１に示す金属遮蔽層４の外周に外部走水防止被覆層５を設けた場合の実施例を示している。ここで、この外部走水防止被覆層５は、内部走水防止被覆層２と同様に、図２に示す走水防止テープ３を巻回もしくは縦添えしたもので形成されている。なお、走水防止テープ３は、吸水層３ｂを金属遮蔽層４側に向けて巻回もしくは縦添えされており、金属遮蔽層４の抑え層としての役割も果たしている。
【００１６】
この実施例においては、金属遮蔽層４を構成する導線４ａをその上下から包被することができるので、図１に示す走水防止ケーブルと比較すれば、導線間の隙間をより完全に充填することができる。従って、この実施例においては走水防止特性がより一層向上する利点がある。なお、図中、符号６は、抑えテープの巻回層、７は、例えば、ポリ塩化ビニルの被覆層から成るケーブルシースを示している。
【００１７】
このように構成される走水防止ケーブルにおいては、図４に示すように、走水防止被覆層を構成する走水防止テープの吸水層３ｂの外側から、ワイヤーシールド層を構成する導線４ａが横巻きされているので、この導線４ａの横巻時の押圧力により、導線４ａが走水防止テープのクッション性テープ３ａに食い込むと共にその導線４ａの回りがクッション性テープ３ａ及び吸水層３ｂの一部によって包まれ、ひいては隣接する導線間の間隙がクッション性テープ３ａ及び吸水層３ｂの一部によって充填された状態を呈することになる。従って、ＣＶケーブルが損傷を受けた場合においては、当該損傷部から浸入する水分によって吸水層３ｂが膨潤してその体積を増大するところから、ワイヤーシールド層を構成する導線４ａの間隙がほぼ完全に充填された状態を呈する。よって、図５に示すように、ワイヤーシールド層を内外部走水防止被覆層２、５によってその上下から抑えるようにすれば、導線４ａの間隙が完全に充填された状態を呈する。ここで、走水防止テープのクッション性テープ３ａを厚く形成した場合においては、吸水層３ｂを薄くでき、またワイヤーシールド層をＳＺ巻き構成とした場合においては、ケーブルの屈曲時における導線の移動をより少なくできるところから、水密特性がより一層向上する利点がある
【００１９】
【発明の効果】
以上説明したように、本発明によれば、ワイヤーシールド層を構成する導線が走水防止テープのクッション性テープに食い込むと共にその導線の回りがクッション性テープ及び吸水層の一部によって包まれ、ひいては隣接する導線間の間隙がクッション性テープ及び吸水層の一部によって充填された状態を呈するので、水密特性の良好な遮水ケーブルを提供することができる。よって、本発明にかかる走水防止ケーブルにおいては、ケーブルシースの損傷部から水分が浸入しても、水分の浸入区域の拡大を最小限に抑えることが可能となる。
【図面の簡単な説明】
【図１】本発明に係る走水防止ケーブルの横断面図
【図２】本発明において使用する走水防止テープの縦断面図
【図３】本発明の他の実施例に係る走水防止ケーブルの横断面図
【図４】走水防止テープに対する導線の食い込み状態を示す説明図
【図５】走水防止テープに対する導線の食い込み状態を示す説明図
【符号の説明】
１………ケーブルコア
２………内部走水防止被覆層
３………走水防止テープ
３ａ……クッション性テープ
３ｂ……吸水層
４………金属遮蔽層
５………外部走水防止被覆層
７………ケーブルシース
【図１】
0003720065.tif 000002
【図２】
0003720065.tif 000003
【図３】
0003720065.tif 000004
【図４】
0003720065.tif 000005
【図５】
0003720065.tif 000006